【事件の表示】
　特許第２６１０５０７号「ガイドワイヤー」の請求項１ないし８に係る特許に対する特許異議の申立てについて、次のとおり決定する。
【結論】
　特許第２６１０５０７号の請求項１ないし３、５ないし８に係る特許を取り消す。
　同請求項４に係る特許を維持する。
【理由】
１．手続きの経緯
　特許第２６１０５０７号の請求項１乃至８に係る発明は、昭和６３年１２月２９日に出願され、平成９年２月１３日にその発明について特許の設定登録がなされたが、その特許について、特許異議申立人　池田和雄より特許異議の申立がなされ、取消理由通知がなされ、その指定期間内である平成１０年７月１４日に訂正請求がなされ、再度の取消理由通知（平成１０年９月２２日付け）がなされ、その指定期間内である平成１０年１１月２６日に平成１０年７月１４日付け訂正請求が取り下げられるとともに、訂正請求がなされ、前記訂正請求に対して訂正拒絶理由を通知したところ、その指定された期間内である平成１１年９月７日に手続補正書が提出されたものである。
２．訂正の適否についての判断
ア．訂正請求に対する補正の適否について
　特許権者が求めている訂正明細書の補正は以下のとおりである。
▲１▼訂正明細書（平成１０年１１月２６日付け、以下同じ）の請求項１の「該内芯の先端部の外周面を被包するとともに該内芯の先端に固定された高Ｘ線造影部と」の記載を「該内芯の先端部の外周面を被包するとともに該内芯の先端に全体が巻き付き固定されたコイル状の高Ｘ線造影部と」と補正する。
▲２▼訂正明細書の請求項２及び３を削除する。
▲３▼訂正明細書の請求項４を請求項２とする。
▲４▼訂正明細書の請求項４の「前記高Ｘ線造影部は、前記内芯の先端外面に高Ｘ線造影性を有する金属をメッキもしくは蒸着することにより形成された金属層である請求項１に記載のガイドワイヤー」の記載を「剛性の高い本体部と、該本体部より細径であり剛性の低い先端部とが一体に形成された内芯と、高Ｘ線造影性を有する金属により形成され、かつ該内芯の先端部の外周面を被包するとともに該内芯の先端に固定された高Ｘ線造影部と、該高Ｘ線造影部が設けられた前記内芯に密着して該内芯全体を被包するほぼ均一外径を有する合成樹脂被膜とからなり、前記高Ｘ線造影部は、前記内芯の先端外面に高Ｘ線造影性を有する金属をメッキもしくは蒸着することにより形成された金属層であるガイドワイヤー」と補正する。
▲５▼訂正明細書の請求項５を請求項３と補正する。
▲６▼訂正明細書の請求項６を請求項４と補正する。
▲７▼訂正明細書の請求項７を請求項５と補正する。
▲８▼訂正明細書の請求項８を請求項６と補正する。
▲９▼訂正明細書の請求項８の「前記合成樹脂被膜を形成する合成樹脂中には、微粉沫状のＸ線造影性物質が混入されている請求項１ないし７のいずれかに記載のガイドワイヤー」の記載を「剛性の高い本体部と、該本体部より細径であり剛性の低い先端部とが一体に形成された内芯と、高Ｘ線造影性を有する金属により形成され、かつ該内芯の先端部の外周面を被包するとともに該内芯の先端に固定された高Ｘ線造影部と、該高Ｘ線造影部が設けられた前記内芯に密着して該内芯全体を被包するほぼ均一外径を有する合成樹脂被膜とからなり、前記合成樹脂被膜を形成する合成樹脂中には、微粉沫状のＸ線造影性物質が混入されているガイドワイヤー」と補正する。
　上記▲１▼の補正は、特許明細書の記載「第３図に示す実施例では、内芯２の先端に、上述のような高Ｘ線造影性を有する金属により形成された細線がコイル状に巻かれている。・・このようなコイル状の高Ｘ線造影部の形成方法としては、上記のように細線を内芯の上に直接巻き付ける方法、」（明細書９頁１１行−１０頁１行）に基づくものであり、かつ、訂正後の特許請求の範囲を減縮するものである。
　上記▲２▼の補正は、訂正後の特許請求の範囲に記載された請求項を削除するものであるから、特許請求の範囲を減縮するものである。
　上記▲３▼及び、▲５▼乃至▲８▼の補正は、上記▲２▼の補正により請求項が削除されたことに合わせて、それ以下の請求項に付された番号を補正するものであるから、不明瞭な記載の釈明である。
　上記▲４▼及び▲９▼の補正は、訂正明細書の請求項４及び８が同請求項１を引用する形式の記載であったものを、上記請求項４及び８に、上記補正前の請求項１の記載を付加して、補正後の請求項１を引用しない形式の記載に改めるものであるから、不明瞭な記載の釈明である。
　また、上記▲１▼乃至▲９▼の補正は訂正請求書の要旨を変更するものではない。よって、上記補正を認める。
イ．独立特許要件の判断
ａ．補正後の訂正明細書の請求項６に係る発明
　訂正明細書の請求項６に係る発明（以下、本件訂正発明６という）は、上記訂正の補正が認められたから、平成１１年９月７日付け手続補正書に添付された全文訂正明細書の特許請求の範囲の請求項６に記載された下記のとおりのものである。
　　　　　記
　剛性の高い本体部と、該本体部より細径であり剛性の低い先端部とが一体に形成された内芯と、高Ｘ線造影性を有する金属により形成され、かつ該内芯の先端部の外周面を被包するとともに該内芯の先端に固定された高Ｘ線造影部と、該高Ｘ線造影部が設けられた前記内芯に密着して該内芯全体を被包するほぼ均一外径を有する合成樹脂被膜とからなり、前記合成樹脂被膜を形成する合成樹脂中には、微粉沫状のＸ線造影性物質が混入されているガイドワイヤー。
ｂ．引用刊行物の記載事項
　上記本件訂正発明に対して、当審が通知した訂正拒絶理由通知書で引用した刊行物１乃至６には下記のとおりの記載がある。
刊行物１：特開昭６０−７８６２号公報
　「（１）本体側内芯部と先端側内芯部とを一体化し、両内芯部の全長を被覆部によって被覆し、比較的剛性の高い本体部と比較的柔軟な先端部とからなるカテーテル用ガイドワイヤにおいて、両内芯部のうちの少なくとも先端側内芯部を超弾性金属体によって形成するとともに、被覆部を長手方向に同一外径の合成樹脂体によって形成し、一定応力の下で比較的大きく変位し、かつ復元可能な弾性ひずみ特性を、先端部に備えることを特徴とするカテーテル用ガイドワイヤ。
　（２）前記本体側内芯部も、超弾性金属体によって形成し、座屈強度が比較的大なる弾性ひずみ特性を、本体部に備える特許請求の範囲第１項に記載のカテーテル用ガイドワイヤ。」（特許請求の範囲）
　「第１図は従来例に係るカテーテル用ガイドワイヤ１を示す断面図である。ガイドワイヤ１は、本体側内芯部２Ａと先端側内芯部２Ｂとを一体化して内芯２を形成し、内芯２の全長を第２図に示すように合成樹脂コーティング部３によって包まれたスプリング４によって被覆している。ここで、内芯２はステンレス線、ピアノ線等の弾性金属体によって形成されている。なお、第１図に示すように内芯２の両端には、スプリング４を保持するとともに、血管内を進行するガイドワイヤ１の先端位置をＸ線によって検出可能とする膨出部２Ｃを備えている。」（公報１頁右下欄５−１６行）
　「第３図は本発明の一実施例に係るカテーテル用ガイドワイヤ１０を示す断面図、第４図（Ａ）〜（Ｄ）は第３図のＩＶＡ−ＩＶＡ線〜ＩＶＤ−ＩＶＤ線に沿う断面図である。
　ガイドワイヤ１０は、内芯１１と被覆部１２とからなり、本体部１０Ａと先端部１０Ｂとを形成している。
　上記内芯１１は円形状断面の本体側内芯部１１Ａと板状断面の先端側内芯部１１Ｂとをテーパ部１１Ｃを介して一体化してなり、その全体を・・超弾性（擬弾性）金属体によって形成している。
　さらに、ガイドワイヤ１０は、本体側内芯部１１Ａの断面積を比較的大とし先端側内芯部１１Ｂの断面積を比較的小とすることによって、本体側内芯部１１Ａを有してなる本体部１０Ａを比較的剛性の高いものとし、先端側内芯部１１Ｂを有してなる先端部１０Ｂを比較的柔軟なものとしている。・・また、先端側内芯部１１Ｂの最先端部には膨出部１１Ｄが一体化され、血管内を進行するガイドワイヤ１０の先端位置をＸ線によって確実に検出可能としている。なお、先端側内芯部１１Ｂの断面形状は板状に限らず、円形状、三角形状、多角形状等であってもよい・・。
　上記被覆部１２は、ポリエチレン、シリコン、ナイロン、ウレタン、テフロン等の合成樹脂製からなり、長手方向に凹凸を生ずることのない同一外径を形成している。」（公報２頁左下欄１８行−３頁左上欄１５行）
　「被覆部１２Ａとして示すように、ポリエチレン、シリコン、ナイロン、ウレタン等の重合物を内芯１１の表面にコーティングされてなるものであっても良い。・・本発明のガイドワイヤはスプリングを用いないので、内芯と被覆部の接着形態は特に限定されず、ガイドワイヤーの一端もしくは両端、あるいは全体が接着されていてもよい。」（公報３頁右上欄第５−１５行）」
刊行物２：特開昭６０−６３０６６号公報
　「本体部から先端部に向けて次第に断面積を縮小するステンレス鋼線、ピアノ線等の一般金属素材を包含することにより、比較的剛性の高い本体部と、比較的柔軟な先端部とを形成している。」（公報２頁左上欄１５−１９行）
　「本体側内芯部と先端側内芯部とによって内芯を形成するとともに、内芯の全体を合成樹脂体からなる被覆部によって被覆し、比較的剛性の高い本体部と比較的柔軟な先端部とを有してなるカテーテル用ガイドワイヤ」（公報３頁右上欄１２−１７行）
　「被覆部１２を形成する合成樹脂体に、Ｂａ、Ｗ、Ｂｉ、Ｐｂ等の金属体もしくは化合物によるＸ線造影剤を混入することにより、血管内におけるガイドワイヤ１０の位置を正確に確認可能となる。」（公報４頁左上欄１３−１７行）
刊行物３：米国特許第４，５５４，９２９号明細書
　「ガイドワイヤ１１は、基部の端部２２と先端部２３とからなる、伸ばされた比較的硬いシャフト２１で構成される。」（２欄６−８行）
　「シャフト２１と螺旋コイル２４はステンレススティールの如き適当な材料で作られ、図１の実施例においてはシャフトの遠位端部分はテーパになっていて、きわめて柔軟性のあるコイルと、より剛性のあるシャフトとの間において、その柔軟性が漸次変化するようになっている。この具体的な実施例では、シャフトのそのテーパ部分はコイルの先端までずっと延びているが、もし望まなければ、先端より手前で終端してもよい。
　コイルとシャフトは、符号２９で示されるように、重なる部分でロー付け、溶接、半田付け等の適当な手段で接合されている。望ましければ、この接合は放射線不透過材料を用いて行い、ワイヤの先端を、Ｘ線透視装置或いは他の通常の放射線写真装置で見られるようにできる。放射線不透過材料は、比重が少なくとも１３ｇｍ／ｃｍ３であることが望ましく、適当な材料として、金、タンタル、タングステン、プラチナ、イリジウム、レニウム、及びそれらの合金がある。」（第２欄第２６行〜４３行）
　「比較的に滑らかで、丸い小片３１が螺旋コイルの先端に設けられ、周囲の組織を傷めることなく、ワイヤの心臓血管組織への挿入を容易にする。図示の実施例ではこの小片は、コイル２４の先端部分に部分的に挿入され、加熱されてコイルとシャフト２１の端部との接合部を形成するプラグからなる。この小片も、Ｘ線透視装置或いは他の放射線写真装置で見ることができるように、放射線不透過材料で作ってもよい。」（第２欄第４９行〜５８行）
　「ワイヤの位置は、Ｘ線透視装置或いは他の放射線写真装置を用いて、先端の放射線不透過性のマーカーを観察することにより確認できる。」（第３欄第２３行〜２６行）
　「４．シャフトの遠位端付近においてシャフトにより担持された、放射線不透過材料で作られたマーカーも備えている、請求項１記載のガイドワイヤ。」（第４欄、クレーム４）
　そして、ＦＩＧ２を参酌するとシャフト（本件の内芯に相当する）は基部から先端に向かってテーパー状になっており、該テーパー状になったシャフトの先端にマーカ３１が固定されていることが見て取れる。
刊行物４：特開昭６３−１８１７７４号公報
　「本発明のガイドワイヤはテーパ付きの先端領域を有する細長い主ワイヤを備えている。螺旋状に巻かれた外側のコイルはテーパ領域の周囲で主ワイヤの先端領域に設けられており、コイルの先端部は主ワイヤの先端を越えて先端方向へ伸長している。外側のコイルの内径よりも小さな外径を有する第２のコイルが外側のコイルの中に包囲されており、この第２のコイルはその基部方向の端部が主ワイヤのテーパ領域の先端部に連結されている。内側のコイルの先端部はガイドワイヤの先端部を画成するほぼ半球状のビードにおいて外側のコイルの先端部に連結されている。内側コイルはガイドワイヤに対する安全手段としての役割のみを果たし、外側コイルの先端部を主ワイヤの先端部と直結する他の安全ワイヤは存在しない。内側および外側のコイルの複合体の可撓性は総ての方向において均等である。可撓性の程度は内側コイルあるいは外側コイルまたはこれら両方のコイルの各隣接するコイル間の間隔を変えることによって任意に選定することができ、これによって所望の複合可撓性を得ることができる。内側コイルは外側コイルを形成する材料よりも大きな放射線不透過性を有する合金から形成することができ、これによってガイドワイヤのより基部方向の部分よりもより大きな放射線不透過性を有する先端部分を得ることができる。」（公報３頁左上欄１０行−右上欄１５行）
　「ガイドワイヤは内側コイル２２を有しており、この内側コイル２２は先端部分２０に沿って伸長しており、その基部方向端部および先端部は、符号２４で示す蝋づけ等により主ワイヤの先端部１４に、また外側コイル１６の先端部１８に、それぞれ連結されている。」（公報４頁左上欄６−１１行）
　「本発明の他の観点によれば、内側コイル２２および外側コイル１６は放射線不透過性の合金から形成することができる」（公報４頁左下欄９−１１行）
　そして、Ｆｉｇ．２を参酌すると、主ワイヤの先端１２を覆うように、主ワイヤの均一な直径の第２の部分１２Ｂより小さい外径を有するパイプ状の内側コイル２２が設けられていることが見て取れる。
刊行物５：実願昭６１−４７４９７号（実開昭６２−１５７５５１号公報）のマイクロフィルム
　「さらに詳しくは、第５図に明示の通り線径０．１ｍｍ程度のステンレススチール等による線材ｂを、密接コイル巻きすることで形成したと可撓性コイル細線状ｃと、その先端部ｃ’に溶着手段などで固設したＳｎなどの軟質金属による球状の案内先頭部ｄと、同細線条ｃの基端部ｃ”に、これまた溶着などにより固説の基端部ｅとからなっている。」（明細書２頁１２−１９行）
　「すなわち、上記従来品にあっては、蛇行する血管Ａ内に進入させて行くものであるから、球状の案内先頭部ｄが、万一にも可撓性コイル細線条ｃの先端部ｃ’から脱落してしまうといったことは許されないのであり、このため先ず上記のように平板状等の素材による安全ワイヤーｇの端部ｇ１、ｇ２をしっかりと夫々案内先頭部ｄと基蓋部ｅとに固着するのである。」（明細書３頁１３−２０行）
　さらに、第５図を参酌すれば、安全ワイヤーおよびテーパーワイヤーの先端部外周面は球状の案内先頭部に被包されている。
刊行物６：特開昭５５−１４０１７号公報
　「第１図中１はガイドワイヤー部であり、このガイドワイヤー部１の基端には、操作部２が着脱自在に取り付けられている。上記ガイドワイヤー部１は、第２図で示すように可撓性の案内用外管３の内部に矯正用パイプ４が挿入され、さらに矯正用パイプ４の内部には芯線５を貫通させてなるものである。
　上記案内用外管３は、密巻きの弾性コイルスプリング６からなり・・さらに、案内用外管３の先端には、半田や銀ろうなどのろう材からなる先端部材９を埋め込んでなり、この先端部材９には、芯線５の先端が埋め込み取付固定されている。」（公報２頁右上欄５行−左下欄３行）
ｃ．対比・判断
　上記刊行物１のものも先端の膨出部をＸ線により検出するのであるから、上記刊行物１の先端の膨出部はＸ線造影部であることは自明のことである。よって、上記刊行物１には、「剛性の高い本体部と、該本体部より細径であり剛性の低い先端部とが一体に形成された内芯と、該内芯の先端に設けられたＸ線造影部と、該Ｘ線造影部が設けられた前記内芯全体と接着するほぼ均一外径を有する合成樹脂被覆部とからなるガイドワイヤー。」が記載されている。
　そこで、本件訂正発明６と上記刊行物１に記載された発明とを対比すると、上記刊行物１に記載された「剛性の高い本体部」、「該本体部より細径であり剛性の低い先端部」、「一体に形成された内芯」、「内芯の先端に設けられたＸ線造影部」、「該Ｘ線造影部が設けられた前記内芯全体と接着するほぼ均一外径を有する合成樹脂被覆部」、「ガイドワイヤー」、は、それぞれ、本件訂正発明６の「剛性の高い本体部」、「該本体部より細径であり剛性の低い先端部」、「一体に形成された内芯」、「該内芯の先端部のＸ線造影部」、「該Ｘ線造影部が設けられた前記内芯に密着して該内芯全体を被包するほぼ均一外径を有する合成樹脂被膜」、「ガイドワイヤー」に相当するから、本件訂正発明６と刊行物１に記載された発明とは「剛性の高い本体部と、該本体部より細径であり剛性の低い先端部とが一体に形成された内芯と、該内芯の先端に設けられたＸ線造影部と、該Ｘ線造影部が設けられた前記内芯に密着して該内芯全体を被包するほぼ均一外径を有する合成樹脂被膜とからなるガイドワイヤー」で一致し以下の点で相違する。
（相違点）
▲１▼本件訂正発明６は、Ｘ線造影部が「高Ｘ線造影性を有する金属」により形成されて高Ｘ線造影部となっているのに対し、上記刊行物１に記載の発明は、Ｘ線造影部が膨出部であって、膨出部はＸ線によって検出可能となっているが、「高Ｘ線造影性を有する金属」を用いる旨の記載がない点。
▲２▼本件訂正発明６は、Ｘ線造影部が「内芯の先端部の外周面を被包するとともに該内芯の先端に固定され」ているのに対し、上記刊行物１に記載の発明は、内芯の最先端部と膨出部とが一体化されている程度の記載しかない点。
▲３▼本件訂正発明６は「前記合成樹脂被膜を形成する合成樹脂中には、微粉沫状のＸ線造影性物質が混入されている」のに対し、上記刊行物１記載の発明はかかる構成を備えていない点。
相違点▲１▼について
　本件明細書の実施例の「高Ｘ線造影性を有する金属としては、金、白金、鉛、ビスマス、タングステンなどが好ましく」の記載から見て、高Ｘ線造影性を有する金属には、金、白金、鉛、ビスマス、タングステンなどが含まれるものと理解される。
　そこで検討するに、カテーテルに設けるＸ線造影部の材料を高Ｘ線造影性を有する金属とすることは、刊行物３に放射線不透過材料として、金、タンタル、タングステン、プラチナを用いることが記載されているように本件出願前周知のことであるから、上記刊行物１に記載された膨出部を上記のような金属材料とし、高Ｘ線造影部とすることは、上記周知技術を考慮すれば当業者が任意に選択し得たことである。
相違点▲２▼について
　内芯の先端に膨出した形状の先端部を固定し、内芯の先端部の外周面をこれにより被包することは、例えば、上記刊行物５及び６に記載されるとおり本願出願前周知のことであるから、前記周知技術を引用例１の内芯の先端に設けられた膨出部に適用し本件訂正発明６のごとくすることは当業者が容易に推考しうる程度のことに過ぎない。
相違点▲３▼について
　カテーテル用ガイドワイヤにおいて、上記ガイドワイヤをコーティングする合成樹脂被膜中にＸ線造影性物質を混入することは上記刊行物２に記載されている。
　上記刊行物２には混入するＸ線造影物質が「微粉沫状」とした点について記載はないが、合成樹脂に固体物質を混入するとき、当該物質を「微粉沫状」として混入することは本件出願前周知のことである。
　したがって、上記相違点▲３▼は、上記周知の技術を用いつつ刊行物２に記載された事項を刊行物１に記載された合成樹脂製被覆部に適用することにより当業者が容易に推考しうる程度のことにすぎない。
　そして、上記刊行物１に記載の発明に、上記相違点に相当する構成を転用したことによる効果も当業者が予測しうる範囲内のものである。
　以上のとおりであるから、本件訂正発明１は、上記刊行物１及び２に記載された発明及び本件出願前周知の技術に基づき当業者が容易に発明をすることができたものであり、特許法第２９条第２項の規定により特許出願の際独立して特許を受けることができないものである。
ロ．むすび
　したがって、上記訂正は、特許法第１２０条の４第３項で準用する同法第１２６条第４項の規定に適合しないので、上記規定に適合しない訂正を含む平成１０年１１月１２日付け訂正請求による訂正は認められない。
３．特許異議申立についての判断
ア．本件発明
　上記のとおり平成１０年１１月２６日付け訂正は認められなかったため、請求項１ないし８に係る発明（以下、それぞれ本件発明１ないし８という）は訂正前の特許請求の範囲の請求項１ないし８に記載された下記の事項によって特定されるとおりのものである。
　　　　　記
　【請求項１】剛性の高い本体部と、該本体部より細径であり剛性の低い先端部とが一体に形成された内芯と、高Ｘ線造影性を有する金属により形成され、かつ該内芯の先端に設けられた高Ｘ線造影部と、該高Ｘ線造影部が設けられた前記内芯に密着して該内芯全体を被包するほぼ均一外径を有する合成樹脂被膜とからなることを特徴とするガイドワイヤー。
　【請求項２】前記高Ｘ線造影部は、前記内芯の先端に固定された高Ｘ線造影性を有する金属の環状部材である請求項１に記載のガイドワイヤー。
　【請求項３】前記環状部材は、コイルまたはパイプ状部材である請求項２に記載のガイドワイヤー。
　【請求項４】前記高Ｘ線造影部は、前記内芯の先端外面に高Ｘ線造影性を有する金属をメッキもしくは蒸着することにより形成された金属層である請求項１に記載のガイドワイヤー。
　【請求項５】前記高Ｘ線造影部の外径は、前記内芯の前記本体部の外径より小さいものとなっている請求項１ないし３のいずれかに記載のガイドワイヤー。
　【請求項６】前記内芯の先端部は、先端に向かってテーパー状に縮径しており、前記高Ｘ線造影部は、縮径する先端部の先端に固定されている請求項１ないし５のいずれかに記載のガイドワイヤー。
　【請求項７】前記内芯が、超弾性金属により形成されている請求項１ないし６のいずれかに記載のガイドワイヤー。
　【請求項８】前記合成樹脂被膜を形成する合成樹脂中には、微粉沫状のＸ線造影性物質が混入されている請求項１ないし７のいずれかに記載のガイドワイヤー。
イ．引用刊行物の記載事項
　上記本件発明１ないし８に対して当審が通知した平成１０年９月２２日付け取消理由通知書で引用した刊行物１乃至４（異議申立人が提出した甲第１乃至４号証と同じである）には、上記２．イ．ｂの刊行物１乃至４について記載したとおりの発明が記載されている。
ウ．対比・判断
ａ．本件発明１について
　上記刊行物１のものも先端の膨出部をＸ線により検出するのであるから、上記刊行物１の先端の膨出部は何らかのＸ線造影部であることは自明のことである。よって、上記刊行物１には、「剛性の高い本体部と、該本体部より細径であり剛性の低い先端部とが一体に形成された内芯と、該内芯の先端に設けられ、上記内芯と一体化されたＸ線造影部と、該Ｘ線造影部が設けられた前記内芯全体と接着するほぼ均一外径を有する合成樹脂被覆部とからなることを特徴とするガイドワイヤー。」が記載されている。
　そして、本件発明１と上記刊行物１に記載された発明とを対比すると、上記刊行物１に記載された「剛性の高い本体部」、「該本体部より細径であり剛性の低い先端部とが一体に形成された内芯」、「該内芯の先端に設けられたＸ線造影部」、「該Ｘ線造影部が設けられた前記内芯全体と接着するほぼ均一外径を有する合成樹脂被覆部」、「ガイドワイヤー」は、それぞれ、本件発明１の「剛性の高い本体部」、「該本体部より細径であり剛性の低い先端部とが一体に形成された内芯」、「該内芯の先端に設けられたＸ線造影部」、「該Ｘ線造影部が設けられた前記内芯に密着して該内芯全体を被包するほぼ均一外径を有する合成樹脂被膜」、「ガイドワイヤー」に相当するから、本件発明１と刊行物１に記載された発明とは「剛性の高い本体部と、該本体部より細径であり剛性の低い先端部とが一体に形成された内芯と、該内芯の先端に設けられたＸ線造影部と、該Ｘ線造影部が設けられた前記内芯に密着して該内芯全体を被包するほぼ均一外径を有する合成樹脂被膜とからなることを特徴とするガイドワイヤー」の点で一致し、本件発明１のものはＸ線造影部が「高Ｘ線造影性を有する金属」で構成されているのに対し、上記刊行物１に記載されたものは単あるＸ線造影部である点で相違する。
　上記相違点について、本件明細書の実施例の「高Ｘ線造影性を有する金属としては、金、白金、鉛、ビスマス、タングステンなどが好ましく」の記載から見て、本件発明の高Ｘ線造影性を有する金属には、金、白金、鉛、ビスマス、タングステンなどが含まれるものと理解される。
　そこで検討するに、カテーテルに設けるＸ線造影部の材料を高Ｘ線造影性を有する金属とすることは、刊行物３に放射線不透過材料として、金、タンタル、タングステン、プラチナを用いることが記載されているように本件出願前周知のことであるから、上記刊行物１に記載された膨出部を上記のような金属材料とし、高Ｘ線造影部とすることは、上記周知技術を考慮すれば当業者が任意に選択し得たことである。
　そして、上記刊行物１に記載されたＸ線造影部の材料を上記金属としたことによる効果も、当業者が予測しうる程度のものである。
　したがって、本件発明１は、上記刊行物１に記載された内芯の先端を上記周知の材料で構成することにより当業者が容易に発明できたことである。
ｂ．本件発明２について
　本件発明２の構成のうち、本件発明１を引用する構成については、上記３．ウ．ａに記載したとおり。
　本件発明２は上記構成に加えて、「高Ｘ線造影部は、前記内芯の先端に固定された高Ｘ線造影性を有する金属の環状部材である」構成を限定したものであるが、刊行物４に主ワイヤの先端に放射線不透過性の環状の内側コイル２を蝋付けにより固着した点が記載されており、上記構成の限定は刊行物４に記載の事項を適用することにより当業者が容易に推考しうる程度のことに過ぎない。
　そして、本件発明２の奏する効果は刊行物１及び４並びに前記周知技術から予測しうる程度のものに過ぎない。
　したがって、本件発明２は当業者が容易に発明できたことである。
ｃ．本件発明３について
　本件発明３の構成のうち、本件発明２を引用する構成については、上記３．ウ．ｂに記載したとおり。
　本件発明３は上記構成に加えて、「前記環状部材は、コイルまたはパイプ状部材である」構成を限定したものであるが、刊行物４に環状の内側コイル２２の点が記載されているから、上記構成の限定は刊行物４に記載の事項を適用することにより当業者が容易に推考しうる程度のことに過ぎない。
　そして、本件発明３の奏する効果は刊行物１及び４並びに前記周知技術から予測しうる程度のものに過ぎない。
　したがって、本件発明３は当業者が容易に発明できたことである。
ｄ．本件発明４について
　本件発明４の構成のうち、「高Ｘ線造影部は、前記内芯の先端外面に高Ｘ線造影性を有する金属をメッキもしくは蒸着することにより形成された金属層である」点は上記刊行物１乃至６に記載もされていないしその示唆もない。そして、高Ｘ線造影部の形成にあたって、金属を内芯の先端に一体で設けることと、内芯の先端に金属層をメッキすることとは技術思想として異なるものであり、上記刊行物１乃至６に記載された内芯の先端に金属を設ける技術思想から、内芯の先端に金属層をメッキする本件発明が容易に発明できたとはいえない。
ｅ．本件発明５について
　本件発明５の構成のうち、本件発明１を引用する構成については、上記３．ウ．ａに記載したとおり。
　本件発明５は上記構成に加えて、「高Ｘ線造影部の外径は、前記内芯の前記本体部の外径より小さいものとなっている」構成を限定したものであるが、
ガイドワイヤの先端を細くすることは技術常識であるから、ガイドワイヤの先端に位置するＸ線造影部の外径を小さくすることも当然予期できることである。
　その場合において、内芯の本体部の外径より小さくすることは、Ｘ線造影部の外径を小さくする際に当業者が適宜選択しうる事項にすぎない。
　そして、本件発明５の奏する効果は刊行物１及び前記周知技術から予測しうる程度のものに過ぎない。
　したがって、本件発明５は当業者が容易に発明できたことである。
ｆ．本件発明６について
　本件発明６の構成のうち、本件発明１を引用する構成については、上記３．ウ．ａに記載したとおり。
　本件発明６は上記構成に加えて、「内芯の先端部は、先端に向かってテーパー状に縮径しており、前記Ｘ線造影部は、縮径する先端部の先端に固定されている」構成を限定したものであるが、当該構成は、上記刊行物３に記載されている。
　上記刊行物１及び３の文献は、いずれも、Ｘ線造影部を付加したカテーテルの内芯の先端の構成に関するものであり、上記刊行物１に記載された発明に、上記３の文献に記載された発明を単に組み合わせることになんら困難性を見いだせず、又これらを組み合わせることによる格別な効果もない。
　したがって、上記刊行物１に記載された内芯の先端の構成を、先端に向かってテーパー状に縮径しており、前記Ｘ線造影部は、縮径する先端部の先端に固定されている構成とすることは、刊行物３に記載された発明を転用することにより当業者が容易に発明できたことである。
ｇ．本件発明７について
　本件発明７の構成のうち、本件発明１を引用する構成については、上記３．ウ．ａに記載したとおり。
　本件発明７は上記構成に加えて、「内芯が、超弾性金属により形成されている」構成を限定したものであるが、当該構成は、上記刊行物１及び３に記載されるとおり本件出願前周知の技術であり、当該構成を採用することによる効果も当業者が予測しうる程度のものである。
　したがって、本件発明７は、上記刊行物１に記載された発明及び、本件出願前周知の技術に基づき当業者が容易に発明できたことである。
ｈ．本件発明８について
　本件発明８の構成のうち、本件発明１を引用する構成については、上記３．ウ．ａに記載したとおり。
　本件発明７は上記構成に加えて、「合成樹脂被膜を形成する合成樹脂中には、微粉沫状のＸ線造影性物質が混入されている」構成を限定したものである。
　ところで、カテーテル用ガイドワイヤにおいて、上記ガイドワイヤをコーティングする合成樹脂被膜中にＸ線造影性物質を混入することは上記刊行物２に記載されている。
　上記刊行物２には混入するＸ線造影物質が「微粉沫状」とした点について記載はないが、合成樹脂に固体物質を混入するとき、当該物質を「微粉沫状」として混入することは本件出願前周知のことである。
　したがって、上記限定された構成は、上記周知の技術を用いつつ刊行物２に記載された事項を刊行物１に記載された合成樹脂製被膜部に適用することにより当業者が容易に推考しうる程度のことにすぎない。また、これらを組み合わせることによる格別な効果もない。
　したがって、本件発明８は、上記刊行物１および２に記載の発明に基づき当業者が容易に発明できたことである。
エ．申立の概要及びそれに対する判断
　特許異議申立人は特許異議申立時に、証拠として甲第１乃至４号証（当審が上記取消理由通知書で引用した刊行物１乃至４とその内容は同じである）を提出し、本件発明１乃至８は、甲第１乃至４号証に基づき当業者が容易に発明できたものであるから特許法第２９条第２項の規定に該当し、上記本件発明１乃至５の特許は、特許法第１１３条第１項第２号の規定により取り消されるべきである旨主張している。
　上記甲第１乃至４号証は、上記３．ウ．ａ乃至ｈで対比した刊行物１乃至４と同じであるから、判断も上記３．ウ．ａ乃至ｈに記載したとおりである。
オ．むすび
　よって、本件発明１乃至３、及び、５乃至８は、上記刊行物１および２に記載された発明に基づき当業者が容易に発明できたものであり、本件発明１乃至３、及び、５乃至８についての特許は、特許法第２９条第２項の規定に違反してされたものであるから、同法第１１３条第１項第２号に該当し、取り消されるべきものである。
　また、本件発明４の特許を取り消すべき他の理由を発見しない。
よって、結論のとおり決定する。
【異議決定日】
平成１１年１１月１日（１９９９．１１．１）